(57)【特許請求の範囲】
【請求項１】
基板と、該基板の一面側に取り付けられるＬＥＤと、を有する光源ユニットと、前記基板の他面側に位置する点灯装置と、を有する照明器具において、
前記基板は、前記基板の一面側と前記基板の他面側とを連通する部分を有し、
該部分を通るように実装され、前記基板の一面側ではんだ付けによりＬＥＤの配線パターンと接続される第一接続部と、基板の他面側で一端が前記点灯装置に接続されたリード線の他端が接続される第二接続部と、を備える端子台を有し、
前記端子台が前記部分を通るように実装された状態において、前記第一接続部の高さは、前記基板の一面側で、前記ＬＥＤの照射範囲よりも低いことを特徴とする照明器具。
【請求項２】
前記第一接続部の高さは、前記ＬＥＤの高さよりも低いことを特徴とする、請求項１に記載の照明器具。
【発明の詳細な説明】
【技術分野】
【０００１】
本発明は、照明器具に関する。
【背景技術】
【０００２】
従来、照明カバーの内側に配置されるＬＥＤは基板の一面側に実装され、ＬＥＤの点灯を制御する点灯装置はＬＥＤが実装された基板の他面側に配置されており、ＬＥＤが実装された基板の一面側より他面側にリード線を這わせ電気的接続をしている。このような電気的接続方法に関して、特許文献１に記載の技術が知られている。
【０００３】
特許文献１には、ＬＥＤが実装された基板から点灯回路へ接続されたリード線が記載されている。
【先行技術文献】
【特許文献】
【０００４】
【特許文献１】特開２０１１−８２１３２号公報
【発明の概要】
【発明が解決しようとする課題】
【０００５】
特許文献１に記載のように、ＬＥＤが実装された基板と点灯回路とを電気的に接続するためのリード線をＬＥＤが実装されている基板面上に這わせる場合、リード線が撓むことなどでＬＥＤから照射される光がリード線により遮られ照明カバーに影が見える恐れがある。
【０００６】
本発明は、このような課題に鑑みて為されたものであり、照明カバーに影が見える恐れを低減する照明器具を提供することを目的とする。
【課題を解決するための手段】
【０００７】
前記課題を解決するべく検討した結果、基板と、該基板の一面側に取り付けられるＬＥＤと、を有する光源ユニットと、前記基板の他面側に位置する点灯装置と、を有する照明器具において、前記基板は、前記基板の一面側と前記基板の他面側とを連通する部分を有し、該部分を通るように実装され、前記基板の一面側ではんだ付けによりＬＥＤの配線パターンと接続される第一接続部と、基板の他面側で一端が前記点灯装置に接続されたリード線の他端が接続される第二接続部と、を備える端子台を有し、前記端子台が前記部分を通るように実装された状態において、前記第一接続部の高さは、前記基板の一面側で、前記ＬＥＤの照射範囲よりも低いことを特徴とする。
【発明の効果】
【０００８】
本発明によれば、照明カバーに影が見えづらい照明器具を提供することができる。
【図面の簡単な説明】
【０００９】
【図１】実施形態の照明器具１００の外観を示す下方からの斜視図
【図２】実施形態の照明器具１００の本体ユニット１０から光源ユニット２０を取り外した状態を示す下方からの斜視図
【図３】実施形態の光源ユニット２０の主要部品の構成を示す部分断面図
【図４】実施形態の基板３２の配線パターン３６の斜視図
【図５】実施形態の端子台４０の接続を示す断面図
【図６】実施形態の端子台４０と一面側３３に実装されたＬＥＤ３８との高さ関係を示す断面図。
【図７】図４の展開斜視図。
【発明を実施するための形態】
【００１０】
以下、図面を参照しながら、本発明を実施するための形態（本実施形態）を説明する。初めに、本実施形態の照明器具の全体構成（内部構成を含む）を説明し、次いで、本実施形態の照明器具でＬＥＤ実装面の基板からリード線を削除する本考案技術について説明する。
【００１１】
図１は、実施形態の照明器具１００の外観を示す下方からの斜視図である。照明器具１００は、天井（支持体）１５０に取り付けられている。照明器具１００は、本体ユニット１０と、本体ユニット１０に取り付けられ発光部を備える光源ユニット２０で構成されている。本体ユニット１０の内部（光源ユニット２０が取り付けられることで形成される空間、以下同じ）には、ＬＥＤ３８の点灯を制御する点灯装置５０（図２等を参照しながら後記する）等が備えられている。
【００１２】
図２は、実施形態の照明器具１００の本体ユニット１０から光源ユニット２０を取り外した状態を示す下方からの斜視図である。本体ユニット１０には電源端子台１２が固定されおり、図示しない交流電源と接続される電源線１４が接続されている。
【００１３】
光源ユニット２０は、取付板３１と、端子台カバー４５と、点灯装置５０と、リード線５４と、照明カバー６０とを有する、
電源端子台１２と点灯装置５０をコネクタ線５２などで電気的に接続させることで前記交流電源から点灯装置５０に電力を供給し、点灯装置５０でＬＥＤ３８の点灯や消灯、および光の強さ等（調光、調色）を制御する。
【００１４】
図３は、実施形態の光源ユニット２０の主要部品の構成を示す部分断面図である。ＬＥＤ光源基板ユニット３０は、基板３２と、基板３２に実装したＬＥＤ３８と、端子台４０とで構成されている。取付板３１の一面側にはＬＥＤ光源基板ユニット３０が固定され、ＬＥＤ光源基板ユニット３０を覆うように配置された照明カバー６０を配置し、照明カバー６０はＬＥＤ３８から発せられる光を受け、透過・拡散などの作用で照明器具として必要な光を発している。
【００１５】
取付板３１のＬＥＤ光源基板ユニット３０が固定された面と反対の他面側には、点灯装置５０が固定されている。リード線５４の一端は点灯装置５０に接続され、リード線５４の他端はＬＥＤ光源基板３０に実装された端子台４０の第二接続部４３に接続されている。なお、点灯装置５０は本体ユニット１０に固定してもよい。
【００１６】
図４から図７で具体的に、本実施形態に関する技術を説明する。
【００１７】
図４は、基板３２と配線パターン３６を示す斜視図であり、図５は端子台４０の接続を示す断面図である。図６は、端子台４０と一面側３３に実装されたＬＥＤ３８との高さ関係を示す断面図である。図７は、図４の展開斜視図である。
【００１８】
基板３２は、配線パターン３６が一面側３３のみにある片面基板であり、一面側３３に形成した配線パターン３６上には複数個のＬＥＤ３８が実装されている。基板３２には、一面側３３と配線パターン３６のない他面側３４とを連通する部分３７を有する。取付板３１には、連通する取付板部分３１ａを有する。端子台４０は、略直方体形状の基部４１と、基部４１の下面の短手両側から基部４１の下面に略沿うように突出する第一接続部４２と、基部４１の内部に位置する第二接続部４３と、を有する部材である。
【００１９】
端子台４０の基板３２への実装は次のように行う。まず端子台４０を、基板３２の部分３７と取付板３１の取付板部分３１ａとを通るように下方向から取り付ける。続いて、基板３２の一面側（下面側）３３で基板３２の配線パターン３６と第一接続部４２とをはんだ付けする。基板３２の他面側（上面側）３４で、基部４１の側面に設けた開口からリード線５４を通し、リード線５４と第二接続部４３とを接続する。ここで、リード線５４は、点灯装置５０と第二接続部とをつなぐものである。
【００２０】
部分３７を通るように実装され、基板３２の一面側ではんだ付けによりＬＥＤ３８の配線パターン３６と接続される第一接続部４２と、基板３２の他面側で点灯装置５０と接続される第二接続部４３と、を備える部材である端子台４０を備え、部材（端子台４０）が部分３７を通るように実装された状態において、第一接続部４２の高さは、基板３２の一面側で、ＬＥＤ３８の照射範囲（１２０°）よりも低いことにより、基板３２の一面側の配線をリード線で行った場合よりも照明カバー６０に影が見えづらい照明器具１００を提供することができる。更に、第一接続部４２と第二接続部４３を備える部材である端子台４０を用いることにより、リード線を這いまわす際の配線処理による手間を省くことができ生産性向上を図れるという効果も奏する。
【００２１】
なお、基板３２は他面側に配線以外の目的（放熱など）で銅箔がある両面基板でもよい。
【００２２】
本実施形態においては、連通する部分３７は基板３２に設けられた穴形状である。しかし、端子台４０は、基板３２の一面側と他面側とを連通する部分３７を通るように実装されるだけに限らず、基板３２の端部に切欠きを設け、その切欠きを通るように実装されてもよい。また、基板と基板の接続部を通るように実装されてもよい。
【００２３】
図６に示す通り、端子台４０の第一接続部４２側の高さ（ｈ４２）は、一面側３３に複数個実装されたＬＥＤ３８の照射範囲３９（例えば１２０°）に入ることのない高さとすることで、ＬＥＤ３８から照明カバー６０方向への照射光を端子台４０が遮ることなく、端子台４０により照明カバー６０へ影が見える恐れを低減することができる。
【００２４】
さらに、端子台４０の第一接続部側の高さ（ｈ４２）をＬＥＤ３８の高さ（ｈ３８）の関係をｈ３８≧ｈ４２とすることで、ＬＥＤ３８と端子台４０を密着配置してもＬＥＤ３８の照射範囲３９内に端子台４０が入ることがなく、端子台４０による照明カバー６０への影を排除できることから、基板の面積を小さくすることが可能となり、材料費の低減が図れる。
【００２５】
端子台カバー４５は、前記端子台４０の第二接続部４３側を覆うように被せ、取付板３１に固定する。端子台カバー４５は、施工時などに端子台４０の第二接続部４３側から第一接続部４２側に加わる力を抑止し、第一接続部４２と配線パターン３２の接続箇所を保護する効果を奏する。
【符号の説明】
【００２６】
１０  本体ユニット
１２  電源端子台
１４  電源線        
２０  光源ユニット
３０  ＬＥＤ光源基板ユニット
３１  取付板
３１ａ  取付板部分
３２  基板
３３  一面側
３４  他面側
３６  配線パターン
３７  部分
３８  ＬＥＤ
３９  ＬＥＤ３８の照射範囲
４０  端子台
４１  基部
４２  第一接続部
４３  第二接続部
４５  端子台カバー
５０  点灯装置
５２  コネクタ線
５４  リード線
６０  照明カバー
１００  照明器具
１５０  天井（支持体）
【図１】
0006446330.tif 000002
【図２】
0006446330.tif 000003
【図３】
0006446330.tif 000004
【図４】
0006446330.tif 000005
【図５】
0006446330.tif 000006
【図６】
0006446330.tif 000007
【図７】
0006446330.tif 000008